(57)【要約】【課題】潤滑剤が前方支持部に与える抵抗が小さい場合であっても眼内レンズ挿入器具内においてレンズ本体に対してタッキング状態になりやすい支持部を有する眼内レンズを提供する。【解決手段】眼内レンズを、所定の屈折力を有するレンズ本体と、眼内におけるレンズ本体の位置決めを行うための２以上の支持部とを有する眼内レンズであって、２以上の支持部は、レンズ本体の光軸中心を挟むようにレンズ本体に接合されており、眼内レンズを押圧して眼内に押し出す眼内レンズ押出部材を有する眼内レンズ挿入器具内に眼内レンズが収納された状態において、２以上の支持部のうち、レンズ本体の光軸中心よりも眼内レンズ押出部材による眼内レンズの押し出し方向前側に配置される支持部が、前記眼内レンズ押出部材による前記眼内レンズの押圧移動の際に他の支持部よりも眼内レンズ挿入器具の貫通孔の周面に当接してレンズ本体側に湾曲しやすい構造を有する構成とする。【選択図】図１
2018198747.tif 000002
【特許請求の範囲】
【請求項１】
所定の屈折力を有するレンズ本体と、眼内における前記レンズ本体の位置決めを行うための２以上の支持部とを有する眼内レンズであって、
前記２以上の支持部は、前記レンズ本体の光軸中心を挟むように前記レンズ本体に接合されており、
前記眼内レンズを押圧して眼内に押し出す眼内レンズ押出部材を有する眼内レンズ挿入器具内に前記眼内レンズが収納された状態において、前記２以上の支持部のうち、前記レンズ本体の光軸中心よりも前記眼内レンズ押出部材による前記眼内レンズの押し出し方向前側に配置される支持部が、前記眼内レンズ押出部材による前記眼内レンズの押圧移動の際に他の支持部よりも前記眼内レンズ挿入器具の貫通孔の周面に当接して前記レンズ本体側に湾曲しやすい構造を有する
ことを特徴とする眼内レンズ。
【請求項２】
前記構造は、前記レンズ本体の光軸中心よりも前記眼内レンズの押し出し方向前側に配置される支持部の長さが、前記２以上の支持部の他の支持部の長さよりも長い構造である、ことを特徴とする請求項１に記載の眼内レンズ。
【請求項３】
前記構造は、前記レンズ本体の光軸中心よりも前記眼内レンズの押し出し方向前側に配置される支持部の先端に前記レンズ本体側に突出する突出部を有する構造である、ことを特徴とする請求項１または２に記載の眼内レンズ。
【請求項４】
前記構造は、前記レンズ本体の光軸中心よりも前記眼内レンズの押し出し方向前側に配置される支持部の厚さが、該支持部の先端から前記レンズ本体との接合部に向かって所定の長さにわたって、該支持部の他の部分よりも薄い構造である、ことを特徴とする請求項１から３のいずれか一項に記載の眼内レンズ。
【請求項５】
前記構造は、前記レンズ本体の光軸に垂直な平面において、前記レンズ本体の光軸中心よりも前記眼内レンズの押し出し方向前側に配置される支持部の先端部の幅が、前記眼内レンズの押し出し方向前側に配置される支持部の他の部分の幅より狭い、ことを特徴とする請求項１から４のいずれか一項に記載の眼内レンズ。
【請求項６】
前記眼内レンズの押し出し方向前側に配置される支持部に少なくとも１つのくびれが設けられている、ことを特徴とする請求項１から５のいずれか一項に記載の眼内レンズ。
【請求項７】
前記構造は、前記眼内レンズ挿入器具内に前記眼内レンズが収納された状態において、前記レンズ本体の光軸中心よりも前記眼内レンズの押し出し方向前側に配置される支持部の基端部が、前記２以上の支持部のうちの他の支持部の先端と前記眼内レンズ挿入器具の内周面との距離よりも、前記眼内レンズの押し出し方向前側に配置される前記支持部の先端と前記眼内レンズ挿入器具の内周面との距離の方が短くなるように、前記レンズ本体との接合部に対してシフトされている、ことを特徴とする請求項１から６のいずれか一項に記載の眼内レンズ。
【請求項８】
前記構造は、前記レンズ本体の光軸に垂直な平面において、前記レンズ本体の光軸中心よりも前記眼内レンズの押し出し方向前側に配置される支持部の基端部の幅が、前記２以上の支持部のうちの他の支持部の基端部の幅よりも広い、ことを特徴とする請求項１から６のいずれか一項に記載の眼内レンズ。
【請求項９】
前記構造は、前記レンズ本体の光軸中心よりも前記眼内レンズの押し出し方向前側に配置される支持部の基端部が、前記眼内レンズの押し出し方向前側に配置される支持部の他
の部分より硬質な材料で形成されている、ことを特徴とする請求項１から８のいずれか一項に記載の眼内レンズ。
【請求項１０】
前記構造は、前記レンズ本体の光軸中心よりも前記眼内レンズの押し出し方向前側に配置される支持部の厚さが、該支持部の前記レンズ本体との接合部から先端に向かって所定の長さにわたって、該支持部の他の部分よりも厚い構造である、ことを特徴とする請求項１から９のいずれか一項に記載の眼内レンズ。
【請求項１１】
請求項１から１０のいずれか一項に記載の眼内レンズが、前記眼内レンズ挿入器具の前記眼内レンズの収納部にあらかじめ収納されている、ことを特徴とする眼内レンズ挿入器具。
【発明の詳細な説明】
【技術分野】
【０００１】
本発明は、眼内レンズおよび眼内レンズ挿入器具に関する。
【背景技術】
【０００２】
白内障治療においてヒト混濁水晶体を置換して屈折を補正するために水晶体の代用として挿入される眼内レンズが実用に供されている。眼内レンズは、所定の屈折力を有するレンズ本体（光学部）とレンズ本体の位置を眼内で維持する支持部とを有する。白内障治療における眼内レンズ挿入手術においては、例えば角膜、強角膜などの縁に数ミリの切開の創口（切開創）が設けられ、超音波水晶体乳化吸引術などにより水晶体が粉砕されて切開創から取り除かれる。そして、水晶体嚢にいわゆる粘弾性物質が注入され、水晶体嚢が膨張した状態となる。次いで、眼内レンズ挿入器具により眼内レンズが眼内に挿入および配置される。眼内レンズの配置が完了したら、眼内の粘弾性物質が除去される。
【０００３】
ここで、眼内レンズを眼内レンズ挿入器具内で移動させる前に、押出し操作をスムーズに行い、眼内レンズが傷付くのを防ぐために、眼内レンズおよび眼内レンズ挿入器具の内部であって眼内レンズが移動する通路を潤滑剤で湿潤する。潤滑剤として、粘弾性物質や平衡塩類溶液（Balanced Salt Solution；ＢＳＳ）が一般的に使用されている。
【先行技術文献】
【特許文献】
【０００４】
【特許文献１】特表２００２−５２４１３６号公報
【特許文献２】特開昭６１−１０９５６２号公報
【特許文献３】国際公開第２０１１／０４８６３１号
【発明の概要】
【発明が解決しようとする課題】
【０００５】
眼内レンズには、眼内レンズ挿入器具を操作して眼内レンズを押し出す際の眼内レンズ挿入器具の操作性が低下しないように、押し出しの過程で、眼内レンズの支持部のうち眼内レンズ挿入器具の先端に近い支持部であるいわゆる前方支持部を、折り畳まれたレンズ本体側へ変形させるタイプの眼内レンズがある。しかし、潤滑剤としてＢＳＳや比較的粘性の低い粘弾性物質を使用した場合、あるいは使用した粘弾性物質の量が少ない場合には、潤滑剤が前方支持部に与える作用が小さいために、前方支持部がレンズ本体側に変形することなく眼内に射出される可能性がある。
【０００６】
また、眼内レンズが眼内レンズ挿入器具内で移動する際、前方支持部の先端部より先に基端部が眼内レンズ挿入器具の内壁に当接することで前方支持部の基端部が変形し、前方支持部が押し出し方向前側に意図しない変形をして眼内レンズ挿入器具の内壁に当接せず、前方支持部がレンズ本体側に変形することなく眼内に射出される可能性もある。あるいは眼内レンズを眼内レンズ挿入器具にセットする際に、前方支持部の基端部と眼内レンズ挿入器具の内壁との間に隙間があると、眼内レンズが移動する際に前方支持部の先端部が眼内レンズ挿入器具の内壁から離れる方向に眼内レンズが回転して、その結果前方支持部が眼内レンズ挿入器具の内壁に当接せず、前方支持部がレンズ本体側に変形することなく眼内に射出される可能性もある。
【０００７】
前方支持部が伸びた状態のまま眼内レンズが眼内に射出されると、前方支持部がレンズ本体側に変形してその先端部がレンズ本体に内包されるいわゆるタッキング状態になる通常の場合とは異なり、正常に眼内レンズが射出されなくなる。例えば、眼内レンズを山折
りにして挿入する眼内レンズ押出器具にあっては、前方支持部が角膜側に突出して角膜を傷つける恐れがあり、水晶体嚢にも収めにくくなる可能性がある。一方、眼内レンズを谷折りにして挿入する眼内レンズ押出器具にあっては、前方支持部が水晶体嚢側に突出して水晶体嚢を傷つける恐れがある。さらに、眼内レンズをノズル内の待機位置まで移動させたときに前方支持部がノズル先端から突出し、眼球に設けた切開創にノズル先端を挿入しにくくなる可能性がある。
【０００８】
また、眼内レンズの支持部のうち眼内レンズ挿入器具の先端から遠い支持部であるいわゆる後方支持部が伸びた状態の場合は、後方支持部を眼内へ挿入するために、後方支持部が伸びている分だけ、プランジャーなどの眼内レンズの押し出し部材の押込み量が多くなる結果、押し出し部材によって眼組織を傷つける可能性がある。眼内レンズ挿入器具に前方支持部の変形を補助する構造を設けることも考えられるが、粘性が低い物質を潤滑剤として用いる場合は、前方支持部の変形を補助する構造が小さな凹凸であっても眼内レンズが傷つけられる可能性がある。
【０００９】
本件開示の技術は、上記の事情に鑑みてなされたものであり、その目的とするところは、潤滑剤が前方支持部に与える抵抗が小さい場合であっても眼内レンズ挿入器具内においてレンズ本体に対してタッキング状態になりやすい支持部を有する眼内レンズを提供することである。
【課題を解決するための手段】
【００１０】
本件開示の眼内レンズは、所定の屈折力を有するレンズ本体と、眼内におけるレンズ本体の位置決めを行うための２以上の支持部とを有する眼内レンズであって、眼内レンズを押圧して眼内に押し出す眼内レンズ押出部材を有する眼内レンズ挿入器具内に眼内レンズが収納された状態において、２以上の支持部のうち、レンズ本体の光軸中心よりも眼内レンズ押出部材による眼内レンズの押し出し方向前側に配置される支持部が、前記眼内レンズ押出部材による前記眼内レンズの押圧移動の際に他の支持部よりも眼内レンズ挿入器具の貫通孔の周面に当接してレンズ本体側に湾曲しやすい構造を有する。これにより、眼内レンズが眼内レンズ挿入器具内を移動される場合に、いわゆる前方支持部がレンズ本体側に折れ曲がりやすくすることができる。
【００１１】
また、上記の眼内レンズにおいて、上記の構造は、レンズ本体の光軸中心よりも眼内レンズの押し出し方向前側に配置される支持部の長さが、他の支持部の長さよりも長い構造としてもよい。または、上記の構造は、レンズ本体の光軸中心よりも眼内レンズの押し出し方向前側に配置される支持部の先端にレンズ本体側に突出する突出部を有する構造としてもよい。または、上記の構造は、レンズ本体の光軸中心よりも眼内レンズの押し出し方向前側に配置される支持部の厚さが、該支持部の先端からレンズ本体との接合部に向かって所定の長さにわたって、該支持部の他の部分よりも薄い構造としてもよい。
【００１２】
また、上記の構造は、レンズ本体の光軸に垂直な平面において、レンズ本体の光軸中心よりも眼内レンズの押し出し方向前側に配置される支持部の先端部の幅が、眼内レンズの押し出し方向前側に配置される支持部の他の部分の幅より狭い構造としてもよく、さらに先端部に少なくとも１つのくびれが設けられている構造としてもよい。また、上記の構造は、眼内レンズ挿入器具内に眼内レンズが収納された状態において、レンズ本体の光軸中心よりも眼内レンズの押し出し方向前側に配置される支持部の基端部が、２以上の支持部のうちの他の支持部の先端と眼内レンズ挿入器具の内周面との距離よりも、眼内レンズの押し出し方向前側に配置される支持部の先端と眼内レンズ挿入器具の内周面との距離の方が短くなるように、レンズ本体との接合部に対してシフトされている構造としてもよい。
【００１３】
また、上記の構造は、レンズ本体の光軸に垂直な平面において、レンズ本体の光軸中心
よりも眼内レンズの押し出し方向前側に配置される支持部の基端部の幅が、２以上の支持部のうちの他の支持部の基端部の幅よりも広い構造としてもよい。また、上記の構造は、レンズ本体の光軸中心よりも眼内レンズの押し出し方向前側に配置される支持部の基端部が、眼内レンズの押し出し方向前側に配置される支持部の他の部分より硬質な材料で形成されている構造としてもよい。または、上記の構造は、レンズ本体の光軸中心よりも眼内レンズの押し出し方向前側に配置される支持部の厚さが、該支持部のレンズ本体との接合部から先端に向かって所定の長さにわたって、該支持部の他の部分よりも厚い構造としてもよい。
【００１４】
上記の構造は、支持部の基端部を硬質材料で形成すること、または支持部の基端部を他の部分より厚くすることとともに、眼内レンズ挿入器具内に眼内レンズが収納された状態において、レンズ本体の光軸中心よりも眼内レンズの押し出し方向前側に配置される支持部の基端部が、２以上の支持部のうちの他の支持部の基端部の先端と眼内レンズ挿入器具の内周面との距離よりも、眼内レンズの押し出し方向前側に配置される支持部の先端と眼内レンズ挿入器具の内周面との距離の方が長くなるように、レンズ本体との接合部に対してシフトされている構造としてもよい。さらに、眼内レンズが、眼内レンズ挿入器具の眼内レンズの収納部にあらかじめ収納されている眼内レンズ挿入器具を提供することもできる。
【発明の効果】
【００１５】
本件開示の技術によれば、潤滑剤が前方支持部に与える抵抗が小さい場合であっても眼内レンズ挿入器具内においてレンズ本体に対してタッキング状態になりやすい支持部を有する眼内レンズを提供することができる。
【図面の簡単な説明】
【００１６】
【図１】図１（ａ）および１（ｂ）は、一実施形態における眼内レンズの構成の一例を示す図である。
【図２】図２（ａ）および２（ｂ）は、一実施形態における眼内レンズ挿入器具の構成の一例を示す図である。
【図３】一実施形態におけるノズル本体の構成の一例を示す図である。
【図４】図４（ａ）および４（ｂ）は、一実施形態における位置決め部材の構成の一例を示す図である。
【図５】図５（ａ）および５（ｂ）は、一実施形態におけるプランジャーの構成の一例を示す図である。
【図６】図６（ａ）〜６（ｃ）は、一実施形態における眼内レンズ挿入器具内における眼内レンズの移動の一例を示す図である。
【図７】一実施形態における眼内における眼内レンズの一例を示す図である。
【図８】図８（ａ）および８（ｂ）は、一変形例における眼内レンズの構成の一例を示す図であり、図８（ｃ）は、眼内レンズ挿入器具内における当該眼内レンズの移動の一例を示す図である。
【図９】図９（ａ）および９（ｂ）は、図８に示す変形例とは別の変形例における眼内レンズの構成の一例を示す図であり、図９（ｃ）は、眼内レンズ挿入器具内における当該眼内レンズの移動の一例を示す図である。
【図１０】図１０（ａ）および１０（ｂ）は、図９に示す変形例とは別の変形例における眼内レンズの構成の一例を示す図である。
【図１１】図１１（ａ）および１１（ｂ）は、図１０に示す変形例とは別の変形例における眼内レンズの構成の一例を示す図である。
【図１２】図１２（ａ）および１２（ｂ）は、図１１に示す変形例とは別の変形例における眼内レンズの構成の一例を示す図であり、図１２（ｃ）は、眼内レンズ挿入器具内における当該眼内レンズの設置の一例を示す図である。
【図１３】図１３（ａ）および１３（ｂ）は、図１２に示す変形例とは別の変形例における眼内レンズの構成の一例を示す図である。
【図１４】図１４（ａ）および１４（ｂ）は、図１３に示す変形例とは別の変形例における眼内レンズの構成の一例を示す図である。
【図１５】図１５（ａ）および１５（ｂ）は、図１４に示す変形例とは別の変形例における眼内レンズの構成の一例を示す図である。
【図１６】図１６（ａ）および１６（ｂ）は、図１５に示す変形例とは別の変形例における眼内レンズの構成の一例を示す図である。
【発明を実施するための形態】
【００１７】
以下に、図面を参照して本発明の実施の形態について説明する。
【００１８】
図１（ａ）および図１（ｂ）に、本実施形態に係る眼内レンズ２の構成の一例を示す。図１（ａ）は平面図、図１（ｂ）は側面図を示す。なお、図１（ａ）と図１（ｂ）との間では、眼内レンズ２の向きは対応していない。眼内レンズ２は、レンズ本体と支持部が同じ材質で一体成型されているいわゆるワンピース型で、レンズの材質は軟性のアクリル素材である。眼内レンズ２は、所定の屈折力を有するレンズ本体２ａと、レンズ本体２ａに連結された、レンズ本体２ａを眼球内で保持するための長尺平板状の一対の支持部２ｂ、２ｅとを備える。また、支持部２ｂ、２ｅは、レンズ本体２ａの光軸中心Ｏを挟むように、それぞれ接合部２ｄ、２ｆを介してレンズ本体２ａに接合されている。
【００１９】
図１（ｂ）に示すように、接合部２ｄ、２ｆは、レンズ外周面から接線状に張り出して形成され、レンズ本体２ａの外周と所定範囲にわたって接するように設けられている。本実施形態において、後述する眼内レンズ挿入器具１内では、２本の支持部２ｂ、２ｅのうちの一方の支持部２ｂが、レンズ本体２ａの眼内レンズの押し出し方向前側、他方の支持部２ｅがレンズ本体２ａの眼内レンズの押し出し方向後側に配置されるように、眼内レンズ２がステージ部１２にセットされる。なお、レンズ本体２ａの眼内レンズの押し出し方向前側に配置される支持部２ｂを前方支持部、レンズ本体２ａの眼内レンズの押し出し方向後側に配置される支持部２ｅを後方支持部と称する。
【００２０】
本実施形態における眼内レンズ２の支持部２ｂ、２ｅには、シボ加工が施されている。これにより、プランジャー３０による眼内レンズ２の押圧移動の際に、眼内レンズ２の姿勢を安定させることができる。具体的には、例えばプランジャー３０によって眼内レンズ２が押圧移動されるときに、支持部２ｂ、２ｅとノズル本体１０の内壁面との間に適度な摩擦力が生じることで眼内レンズ２がノズル本体１０内で回転することを防止することができる。また、支持部２ｂ、２ｅにシボ加工が施されていることで、眼内レンズ２がノズル本体１０内で折り畳まれるときに、支持部２ｂ、２ｅがレンズ本体２ａに張り付くことを防止することもできる。また、本実施形態では、図１（ｂ）に示すように、眼内レンズ２のレンズ本体２ａの周辺部、すなわちレンズ本体２ａと支持部２ｂ、２ｅとの連結部分において、レンズ本体２ａが持つ光学面の傾きを緩和するような曲率の小さい光学面２ｄ、２ｇを設けることでレンズの中心厚を減少させて、レンズの断面積も小さくし、薄型のレンズ形状を実現している。ここで、光学面２ｄ、２ｇは平坦な形状でもよい。
【００２１】
なお、接合部２ｄ、２ｆがレンズ本体２ａの外周と接している範囲では、光軸前面、すなわち眼内に挿入されたときに角膜側に配置される面の光学部径は、その他の範囲より加工マージンの分だけ僅かに大きくなっているため、光軸前面において光学部はわずかに楕円形状（非円形状）になっている。また、光軸後面、すなわち眼内に挿入されたときに水晶体嚢側に配置される面の光学部も、接合部２ｄ、２ｆがレンズ本体２ａの外周と接している範囲では、その他の範囲に比べて１０％ほど大きい光学部径になっている、すなわち接合部２ｄ、２ｆにも光学レンズ面としての機能を持っている部分がある。これによりレ
ンズ本体２ａに対して規定される所定の寸法の中で少しでもレンズの有効範囲を広くしている。一般的に、接合部２ｄ、２ｆに接していない範囲のレンズ本体２ａの光学部径は５．５ｍｍから７．０ｍｍである。
【００２２】
図１（ｂ）に示すように、本実施形態の眼内レンズ２では、支持部２ｂの長さ、すなわち接合部２ｄから支持部２ｂの先端までの長さＬ１が、支持部２ｅの長さ、すなわち接合部２ｆから支持部２ｅの先端までの長さＬ２よりも長くなるように設定されている。
【００２３】
図２（ａ）および図２（ｂ）に、本実施形態の眼内レンズの眼内への挿入に用いられる眼内レンズ挿入器具１の構成の一例を示す。図２（ａ）はステージ蓋部１３を開蓋した場合の眼内レンズ挿入器具１の平面図、図２（ｂ）はステージ蓋部１３を閉蓋した場合の眼内レンズ挿入器具１の側面図を示している。眼内レンズ挿入器具１のノズル本体１０は、断面が略矩形の筒状部材であり、片側の端部に大きく開口した後端部１０ｂと、別の側の端部に細く絞られた挿入筒部としてのノズル部１５および先端部１０ａとを備える。図２（ｂ）に示すように、先端部１０ａは斜めに開口している。プランジャー３０は、ノズル本体１０に挿入され往復運動可能である。
【００２４】
以下の説明において、ノズル本体１０の後端部１０ｂから先端部１０ａへ向かう方向を前方向または前方、その逆方向を後方向または後方、図２（ａ）において紙面手前側を上方向、その逆方向を下方向、図２（ｂ）において紙面手前方向を左方向、その逆方向を右方向とする。また、この場合、上側は眼内レンズ２のレンズ本体２ａの光軸前側に、下側はレンズ本体２ａの光軸後側に、前側はプランジャー３０による押圧方向前側に、後側はプランジャー３０による押圧方向後側に相当する。
【００２５】
ノズル本体１０の後端部１０ｂ付近には、板状に迫り出し、術者がプランジャー３０をノズル本体１０の先端側に押し込む際に指を掛けるホールド部１１が一体的に設けられている。また、ノズル本体１０におけるノズル部１５の後側には、眼内レンズ２をセットするステージ部１２が設けられている。このステージ部１２は、ステージ蓋部１３を開蓋することでノズル本体１０の上側に開口するようになっている。また、ステージ部１２には、ノズル本体１０の下側から位置決め部材５０が取り付けられている。この位置決め部材５０によって、使用前（輸送中）においてもステージ部１２に眼内レンズ２が安定して位置決めされている。
【００２６】
すなわち、眼内レンズ挿入器具１においては、製造時に、ステージ蓋部１３が開蓋されて位置決め部材５０がステージ部１２に取り付けられた状態で、眼内レンズ２がステージ部１２に、光軸前側が上になるようにセットされる。そして、ステージ蓋部１３を閉蓋させた後出荷され、販売される。さらに、使用時には、術者が、潤滑剤供給孔２０ａから眼内レンズ２の潤滑剤をステージ部１２内に供給する。そして、術者はステージ蓋部１３を閉蓋したままで位置決め部材５０を取り外し、その後プランジャー３０をノズル本体１０の先端側に押し込む。
【００２７】
これにより、プランジャー３０によって眼内レンズ２を押圧し、ノズル部１５まで移動させた上で、先端部１０ａより眼内レンズ２を眼球内に放出する。なお、眼内レンズ挿入器具１におけるノズル本体１０、プランジャー３０、位置決め部材５０はポリプロピレンなどの樹脂の素材で形成される。ポリプロピレンは医療用機器において実績があり、耐薬品性などの信頼性も高い素材である。
【００２８】
また、ステージ蓋部１３の一部には、薄肉部とすることによって確認窓部１７が形成されている。なお、ステージ蓋部１３において確認窓部１７をどの程度の薄肉部にするかは、ステージ蓋部１３を形成する材料と確認窓部１７からの眼内レンズの視認性に基づいて
適宜決定すればよい。また、確認窓部１７を形成することで、ステージ蓋部１３の成形時のヒケを軽減する効果も期待できる。
【００２９】
図３にはノズル本体１０の平面図を示す。前述のようにノズル本体１０においては、眼内レンズ２はステージ部１２にセットされる。そして、その状態でプランジャー３０によって眼内レンズ２が押圧されて先端部１０ａから放出される。なお、ノズル本体１０の内部にはノズル本体１０の外形の変化に応じて断面形状が変化する貫通孔１０ｃが設けられている。そして、眼内レンズ２が放出される際は、眼内レンズ２は、ノズル本体１０内の貫通孔１０ｃの断面形状の変化に応じて変形し、患者の眼球に形成された切開創に入り易い形に変形した上で放出される。
【００３０】
また、先端部１０ａは、ノズル部１５の上側の領域が下側の領域より前側になるように斜めにカットされた、いわゆるベベルカット形状となっている。なお、本実施形態に係るノズル部１５の先端の詳細については後述するが、この先端部１０ａの斜めにカットされた形状については、左右方向から見て直線的に斜めにカットされていてもよいし、外側に膨らみを持つように、すなわち曲面形状となるように斜めにカットされていてもよい。
【００３１】
ステージ部１２には、眼内レンズ２のレンズ本体２ａの径より僅かに大きな幅を有するステージ溝１２ａが形成されている。ステージ溝１２ａの前後方向の寸法は、眼内レンズ２の両側に延びる支持部２ｂ、２ｅを含む最大幅寸法よりも大きく設定されている。また、ステージ溝１２ａの底面によって、眼内レンズの載置面であるセット面１２ｂが形成されている。セット面１２ｂの上下方向位置は、ノズル本体１０の貫通孔１０ｃの底面の高さ位置よりも上方に設定されており、セット面１２ｂと貫通孔１０ｃの底面とは底部斜面１０ｄによって連結されている。
【００３２】
ステージ部１２とステージ蓋部１３とは一体に形成されている。ステージ蓋部１３はステージ部１２と同等の前後方向の寸法を有している。ステージ蓋部１３は、ステージ部１２の側面がステージ蓋部１３側に延出して形成された薄板状の連結部１４によって連結されている。連結部１４は中央部で屈曲可能に形成されており、ステージ蓋部１３は、連結部１４を屈曲させることでステージ部１２に上側から重なり閉蓋することができる。
【００３３】
ステージ蓋部１３において、閉蓋時にセット面１２ｂと対向する面には、ステージ蓋部１３を補強し、眼内レンズ２の位置を安定させるためのリブ１３ａ、１３ｂと、プランジャー３０の上側のガイドとしての案内突起１３ｃが設けられている。また、ステージ蓋部１３には、眼内レンズ２を眼球内に挿入する作業の前にステージ部１２に潤滑剤を注入するための潤滑剤供給孔２０ａが設けられている。潤滑剤供給孔２０ａは、ステージ蓋部１３を閉じたときに、ステージ部１２の外部とステージ部１２に収納された眼内レンズ２とを接続する孔である。
【００３４】
ステージ部１２のセット面１２ｂの下側には、位置決め部材５０が取外し可能に設けられている。図４（ａ）および図４（ｂ）に、位置決め部材５０の構成の一例を示す。図４（ａ）は位置決め部材５０の平面図を示し、図４（ｂ）は位置決め部材５０の左側面図を示している。位置決め部材５０はノズル本体１０と別体として構成されており、一対の側壁部５１、５１が連結部５２で連結された構造とされている。それぞれの側壁部５１の下端には、外側に向けて延出して広がる保持部５３、５３が形成されている。
【００３５】
そして、側壁部５１、５１の内側には、上側に突出した一対の第１載置部５４、５４が形成されている。さらに、第１載置部５４、５４の上端面における外周側には、第１位置決め部５５、５５が突出して形成されている。第１位置決め部５５、５５の内側どうしの離隔長さは、眼内レンズ２のレンズ本体２ａの径寸法よりも僅かに大きく設定されている
。
【００３６】
また、側壁部５１、５１の内側には、上側に突出した一対の第２載置部５６、５６が形成されている。第２載置部５６、５６の上面の高さは、第１載置部５４、５４の上面の高さと同等になっている。さらに、第２載置部５６、５６の上面において外側の部分には、第２載置部５６、５６の左右方向の全体にわたって上側にさらに突出する第２位置決め部５７、５７が形成されている。第２位置決め部５７、５７の内側どうしの離隔長さは、眼内レンズ２のレンズ本体２ａの径寸法よりも僅かに大きく設定されている。
【００３７】
さらに、側壁部５１、５１の内側には、眼内レンズ２の前方支持部に相当する支持部２ｂの一部が載置される第３載置部５８が形成されている。さらに、第３載置部５８から上側にさらに突出する第３位置決め部５９が形成されている。第３位置決め部５９には前方支持部の一部が当接する。そして、側壁部５１、５１の内側には、眼内レンズ２の後方支持部に相当する支持部２ｅの一部が載置される第４載置部６０が形成されている。さらに、第４載置部６０から上側にさらに突出する第４位置決め部６１が形成されている。第４位置決め部６１には後方支持部の一部が当接する。なお、図４（ｂ）に示すように、第４載置部６０および第４位置決め部６１の上面の高さは、第１〜３載置部および第１〜３位置決め部の上面の高さよりも低くなるように設けられている。一方、側壁部５１、５１の外側には、位置決め部材５０を取り外す際に不必要な回転を防止するための回転防止壁部６２が設けられている。
【００３８】
上記の位置決め部材５０は、ノズル本体１０のセット面１２ｂの下側から組み付けられる。ノズル本体１０のセット面１２ｂには、厚さ方向にセット面１２ｂを貫通するセット面貫通孔１２ｃが形成されている。セット面貫通孔１２ｃの外形は、位置決め部材５０の第１〜４載置部および第１〜４位置決め部を上側から見た形状に対し僅かに大きな略相似形状とされている。そして、位置決め部材５０がノズル本体１０に取り付けられる際には、第１〜４載置部および第１〜４位置決め部が、セット面１２ｂの下側からセット面貫通孔１２ｃに挿入され、セット面１２ｂの上側に突出する。
【００３９】
そして、眼内レンズ２がセット面１２ｂにセットされる際には、レンズ本体２ａの外周部底面が、第１載置部５４、５４及び第２載置部５６、５６の上面に載置される。また、レンズ本体２ａは第１位置決め部５５、５５及び第２位置決め部５７、５７によって水平方向（セット面１２ｂに水平な方向）に対して位置規制される。さらに、眼内レンズ２の２本の支持部２ｂ、２ｅがそれぞれ第３載置部５８、第４載置部６０の上面に載置される。また、２本の支持部２ｂ、２ｅは、それぞれ第３位置決め部５９、第４位置決め部６１によって水平方向に対して位置規制される。
【００４０】
次に、図５（ａ）および図５（ｂ）に、プランジャー３０の構成の一例を示す。プランジャー３０は、ノズル本体１０よりもやや大きな前後方向長さを有している。そして、円柱形状を基本とした先端側の作用部３１と、矩形ロッド形状を基本とした後端側の挿通部３２とから形成されている。そして、作用部３１は、円柱形状とされた円柱部３１ａと、円柱部３１ａの左右方向に広がる薄板状の扁平部３１ｂとを含んで構成されている。
【００４１】
作用部３１の先端部分には、切欠部３１ｃが形成されている。この切欠部３１ｃは、図５（ａ）に示すように、作用部３１の上方向に開口し左右方向に貫通する溝状に形成されている。また、図５（ｂ）に示すように、切欠部３１ｃの先端側の溝壁は作用部３１の先端側に行くに連れて上方に向かう傾斜面で形成されている。一方、挿通部３２は、全体的に概略Ｈ字状の断面を有しており、その左右方向および上下方向の寸法は、ノズル本体１０の貫通孔１０ｃよりも僅かに小さく設定されている。また、挿通部３２の後端には、上下左右方向に広がる円板状の押圧板部３３が形成されている。
【００４２】
挿通部３２の前後方向の中央より先側の部分には、挿通部３２の上側に向けて突出し、プランジャー３０の素材の弾性により上下に移動可能な爪部３２ａが形成されている。そして、プランジャー３０がノズル本体１０に挿入された際には、ノズル本体１０の上面において厚さ方向に設けられた図３に示す係止孔１０ｅと爪部３２ａが係合し、このことにより初期状態におけるノズル本体１０とプランジャー３０との相対位置が決定される。なお、爪部３２ａと係止孔１０ｅの形成位置は、係合状態において、作用部３１の先端が、ステージ部１２にセットされた眼内レンズ２のレンズ本体２ａの後側に位置し、レンズ本体２ａの支持部２ｅを切欠部３１ｃが下方から支持可能な場所に位置するよう設定されている。
【００４３】
上記のように構成された眼内レンズ挿入器具１の眼内レンズ２の収納前においては、プランジャー３０がノズル本体１０に挿入されて初期位置に配置される。また、上記の通り、位置決め部材５０が、セット面１２ｂの下方からノズル本体１０に取り付けられる。これにより、位置決め部材５０の第１載置部５４および第２載置部５６がセット面１２ｂに突出した状態に保持される。
【００４４】
そして、眼内レンズ２のレンズ本体２ａが支持部２ｂ、２ｅをノズル本体１０の前後方向に向けた状態で第１載置部５４および第２載置部５６の上面に載置され位置決めされる。この状態において、眼内レンズ２の支持部２ｅの一部がプランジャー３０の切欠部３１ｃに挟まれ、その底面によって支持された状態となる。
【００４５】
眼内レンズ２がステージ部１２にセットされた後、潤滑剤供給孔２０ａからステージ部１２内に潤滑剤が供給され、位置決め部材５０がセット面１２ｂから取り外される。そして、プランジャー３０の押圧板部３３がノズル本体１０の先端側に押し込まれ、これにより、セット面１２ｂにセットされた眼内レンズ２のレンズ本体２ａ外周にプランジャー３０の作用部３１の先端部が当接し、プランジャー３０によって眼内レンズ２が先端部１０ａに向けて案内される。眼内レンズをノズル部１５まで移動させた上で、切開創にノズル部１５の先端部１０ａが挿入される。ここで、先端部１０ａは斜めの開口形状を有しているので、切開創への挿入を容易に行なうことができる。
【００４６】
図６（ａ）〜図６（ｃ）に、上記のように眼内レンズ２が眼内レンズ挿入器具１にセットされて、プランジャー３０によって眼内レンズ２がノズル本体１０内を先端部１０ａに向かって移動されるときの眼内レンズ２の状態の一例を模式的に示す。
【００４７】
眼内レンズ挿入器具１にセットされた眼内レンズ２は、プランジャー３０による押圧移動によってノズル本体１０内を移動される。このとき、図６（ａ）に示すように眼内レンズ２の支持部２ｂの先端部２ｃが、貫通孔１０ｃの内周面に当接する。本実施形態では、図１を参照しながら説明したように、一対の支持部２ｂ、２ｅのうち支持部２ｂの長さが支持部２ｅより長い。また、ノズル本体１０の貫通孔１０ｃは先端部１０ａに向かうにつれて縮径している。このため、眼内レンズ２が先端部１０ａ側に移動されるときに、支持部２ｂの先端部２ｃが貫通孔１０ｃに当接しやすい。
【００４８】
また、眼内レンズ２がプランジャー３０による押圧移動によってノズル本体１０内を移動される際に、眼内レンズ２の支持部２ｅの一部がプランジャー３０の切欠部３１ｃに挟まれた状態が維持される。また、本実施形態では、支持部２ｅの長さは支持部２ｂより短くなるように設定されているため、図６（ａ）に示すように、切欠部３１ｃに挟まれることで折れ曲がる支持部２ｅの先端が、ノズル本体１０の貫通孔１０ｃに当接する懸念がない。また、図６（ｃ）に示すように、支持部２ｅの先端がレンズ本体２ａに向いて、支持部２ｅがレンズ本体２ａに内包されるいわゆるタッキング状態になりやすくなる。
【００４９】
支持部２ｂの先端部２ｃが貫通孔１０ｃに当接した後、プランジャー３０によって眼内レンズ２がノズル本体１０の先端部１０ａ側に移動されると、先端部２ｃが貫通孔１０ｃに当接した状態でレンズ本体２ａが先端部１０ａに移動されるため、図６（ｂ）に示すように、先端部２ｃがレンズ本体２ａ側を向くように支持部２ｂが折れ曲がる。そして、さらにプランジャー３０によって眼内レンズ２がノズル本体１０の先端部１０ａ側に移動されると、レンズ本体２ａが、先端部１０ａに向かって縮径する貫通孔１０ｃの内周形状に合わせて変形する。このとき、図６（ｃ）に示すように、レンズ本体２ａの左右方向における端部がレンズ本体２ａの光軸中心に向かって湾曲する。また、支持部２ｂの先端部２ｃおよび支持部２ｅの先端部が、湾曲したレンズ本体２ａに内包されるいわゆるタッキング状態となる。
【００５０】
したがって、本実施形態の眼内レンズ２によれば、プランジャー３０によって眼内レンズ２がノズル本体１０の先端部１０ａ側に移動されるときに、前方支持部である支持部２ｂは、その先端部２ｃがノズル本体１０に当接することで、レンズ本体２ａ側に折れ曲がってタッキング状態になりやすくなる。また、後方支持部である支持部２ｅは、プランジャー３０の切欠部３１ｃによって折り曲げられ、ノズル本体１０に当接することなくタッキング状態になりやすくなる。
【００５１】
図７に、眼内レンズ挿入器具１によって眼内に射出された後、水晶体嚢の赤道部７０に対して適正に位置決めされた眼内レンズ２の一例を模式的に示す。眼内レンズ２は、プランジャー３０によってノズル本体１０の貫通孔１０ｃ内を押圧移動されて先端部１０ａから眼内に射出される。このとき、眼内レンズ２は、図７に示すようにレンズ本体２ａが折り畳み状態から元の形状に復帰し、支持部２ｂ、２ｅがレンズ本体２ａに対するタッキング状態から解放される。そして、支持部２ｂ、２ｅの一部が水晶体嚢の赤道部７０に当接することで、支持部２ｂ、２ｅによってレンズ本体２ａが水晶体嚢内で位置決めされる。
【００５２】
支持部２ｂの一部が水晶体嚢の赤道部７０に当接する状態においては、図７に示すように、支持部２ｂの先端部２ｃは水晶体嚢の赤道部７０に当接しない。したがって、本実施形態において、支持部２ｂの長さが支持部２ｅの長さより長くなるように形成しても、眼内レンズ２が眼内に射出されたときに、支持部２ｂを長くした分、先端部２ｃが水晶体嚢の組織に干渉する可能性が高くなるといった懸念がない。すなわち、本実施形態の眼内レンズ２によれば、従来の眼内レンズに比べて眼内レンズ挿入器具内において支持部をタッキング状態にさせやすくなり、眼内におけるレンズ本体の位置決めを従来の眼内レンズと同様に行うことができる。
【００５３】
以上が本実施形態に関する説明であるが、上記の眼内レンズなどの構成は、上記の実施形態に限定されるものではなく、本発明の技術的思想と同一性を失わない範囲内において種々の変更が可能である。例えば、上記の実施形態および以下に説明する変形例において、眼内レンズの支持部の長さや厚さ、曲がりやすさなどは、潤滑剤として使用する液体の粘性を考慮して適宜変更することができる。
【００５４】
以下に、上記の実施形態の変形例について説明する。なお、以下の説明において、上記の実施形態と同等の構成については同一の符号を付し、詳細な説明は省略する。また、上記の実施形態における構成と以下に説明する変形例における構成は適宜組み合わせて実施してもよい。
【００５５】
図８（ａ）〜（ｃ）に、上記の実施形態の一変形例に係る眼内レンズ３の一例を示す。眼内レンズ３は、眼内レンズ挿入器具１にセットされたときの前方支持部に相当する支持部３ｂの先端に、レンズ本体２ａ側に向かって所定長さ突出する突出部３ｃが設けられて
いる。図８（ｂ）に示す例では、突出部３ｃの厚さは支持部３ｂの他の部分の厚さと同じであるが、眼内レンズ３が眼内で支持部３ｂ、２ｅによって位置決めされるときのレンズ本体２ａの眼内におけるバランスを考慮して突出部３ｃの厚さを適宜変更することができる。
【００５６】
眼内レンズ挿入器具１にセットされた眼内レンズ３が、プランジャー３０による押圧移動によってノズル本体１０内を移動されるとき、眼内レンズ３の支持部３ｂに突出部３ｃが設けられているため、突出部３ｃを設けていない場合に比べて、支持部３ｂは貫通孔１０ｃの内周面に当接しやすい。突出部３ｃが貫通孔１０ｃに当接した後、プランジャー３０によって眼内レンズ３がノズル本体１０の先端部１０ａ側に移動されると、突出部３ｃが貫通孔１０ｃに当接した状態でレンズ本体２ａが先端部１０ａに移動されるため、図８（ｃ）に示すように、突出部３ｃがレンズ本体２ａ側を向くように支持部３ｂが折れ曲がる。したがって、上記の実施形態と同様、支持部３ｂの突出部３ｃが、レンズ本体２ａに内包されるタッキング状態となる。
【００５７】
したがって、本変形例の眼内レンズ３によっても、プランジャー３０によって眼内レンズ３がノズル本体１０の先端部１０ａ側に移動されるときに、前方支持部である支持部３ｂは、突出部３ｃがノズル本体１０に当接することで、レンズ本体２ａ側に折れ曲がってタッキング状態になりやすくなる。
【００５８】
図９（ａ）〜（ｃ）に、上記の実施形態の一変形例に係る眼内レンズ４の一例を示す。眼内レンズ４は、眼内レンズ挿入器具１にセットされたときの前方支持部に相当する支持部４ｂが、上記の実施形態の支持部２ｂと同様、支持部２ｅよりも長くなるように形成されている。すなわち、接合部２ｄから支持部４ｂの先端までの長さＬ３が、支持部２ｅの長さ、すなわち接合部２ｆから支持部２ｅの先端までの長さＬ４よりも長くなるように設定されている。
【００５９】
さらに、本変形例では、支持部４ｂの先端部４ｃの厚さが、支持部４ｂの他の部分の厚さよりも薄くなるように形成されている。なお、先端部４ｃの厚さは、眼内レンズ４が眼内で支持部４ｂ、２ｅによって位置決めされるときのレンズ本体２ａの眼内におけるバランスを考慮して適宜変更することができる。このように本変形例では、支持部４ｂが、その先端からレンズ本体２ａとの接合部２ｄに向かって所定の長さだけ薄くなっている先端部４ｃを有する。
【００６０】
眼内レンズ挿入器具１にセットされた眼内レンズ４が、プランジャー３０による押圧移動によってノズル本体１０内を移動されるとき、眼内レンズ４の支持部４ｂが支持部２ｅよりも長く形成されているため、上記の眼内レンズ２の場合と同様、支持部４ｂの長さを支持部２ｅの長さと同じにした場合に比べて、支持部４ｂの先端部４ｃは貫通孔１０ｃの内周面に当接しやすい。先端部４ｃが貫通孔１０ｃに当接した後、プランジャー３０によって眼内レンズ４がノズル本体１０の先端部１０ａ側に移動されると、先端部４ｃが貫通孔１０ｃに当接した状態でレンズ本体２ａが先端部１０ａに移動されるため、図９（ｃ）に示すように、先端部４ｃがレンズ本体２ａ側を向くように支持部４ｂが折れ曲がる。先端部４ｃは支持部４ｂの他の部分より薄くなっているので、より折れ曲がりやすい。したがって、上記の実施形態と同様、支持部４ｂの先端部４ｃが、レンズ本体２ａに内包されるタッキング状態となる。
【００６１】
したがって、本変形例の眼内レンズ４によっても、プランジャー３０によって眼内レンズ４がノズル本体１０の先端部１０ａ側に移動されるときに、前方支持部である支持部４ｂは、先端部４ｃがノズル本体１０に当接することで、レンズ本体２ａ側に折れ曲がってタッキング状態になりやすくなる。
【００６２】
図１０（ａ）および図１０（ｂ）に、上記の実施形態の一変形例に係る眼内レンズ５の一例を示す。眼内レンズ５は、支持部５ｂの厚さが、接合部２ｄから支持部５ｂの先端にわたって、支持部２ｅの厚さよりも薄くなるように形成されている。なお、先端部５ｂの厚さは、眼内レンズ５が眼内で支持部５ｂ、２ｅによって位置決めされるときのレンズ本体２ａの眼内におけるバランスを考慮して適宜変更することができる。
【００６３】
眼内レンズ５は、支持部５ｂの厚さが支持部５ｂの全長にわたって支持部２ｅの厚さより薄いため、プランジャー３０によって眼内レンズ５がノズル本体１０の先端部１０ａ側に移動されるときに、潤滑剤が支持部５ｂに与える抵抗が小さい場合であっても、支持部５ｂは、レンズ本体２ａ側に折れ曲がってタッキング状態になりやすくなる。
【００６４】
図１１（ａ）および図１１（ｂ）に、上記の実施形態の一変形例に係る眼内レンズ６の一例を示す。眼内レンズ６は、眼内レンズ挿入器具１にセットされたときの前方支持部に相当する支持部６ｂの先端に、上記の変形例の眼内レンズ３の支持部３ｂと同様、レンズ本体２ａ側に向かって所定長さ突出する突出部６ｃが設けられている。図１１（ｂ）に示す例では、突出部６ｃの大きさは、例えば上記の実施形態の眼内レンズの支持部２ｂの先端部２ｃをレンズ本体２ａ側に折り曲げたと想定した場合に得られる突出部６ｃに相当する部分と同じ大きさにすることができる。
【００６５】
本変形例の眼内レンズ６も、上記の変形例に係る眼内レンズ３と同様に、プランジャー３０による押圧移動によってノズル本体１０内を移動されるとき、突出部６ｃを設けていない場合に比べて、支持部６ｂは貫通孔１０ｃの内周面に当接しやすい。そして、突出部６ｃが貫通孔１０ｃに当接した後、プランジャー３０によって眼内レンズ６がノズル本体１０の先端部１０ａ側に移動されると、突出部６ｃが貫通孔１０ｃに当接した状態でレンズ本体２ａが先端部１０ａに移動されるため、突出部６ｃがレンズ本体２ａ側を向くように支持部６ｂが折れ曲がる。したがって、上記の実施形態と同様、支持部６ｂの突出部６ｃが、レンズ本体２ａに内包されるタッキング状態となる。
【００６６】
したがって、本変形例の眼内レンズ６によっても、プランジャー３０によって眼内レンズ６がノズル本体１０の先端部１０ａ側に移動されるときに、前方支持部である支持部６ｂは、突出部６ｃがノズル本体１０に当接することで、レンズ本体２ａ側に折れ曲がってタッキング状態になりやすくなる。
【００６７】
図１２（ａ）〜（ｃ）に、上記の実施形態の一変形例に係る眼内レンズ７の一例を示す。眼内レンズ７は、眼内レンズ挿入器具１にセットされたときの前方支持部に相当する支持部７ｂが、上記の実施形態の支持部２ｂと同様、支持部２ｅよりも長くなるように形成されている。すなわち、接合部２ｄから支持部７ｂの先端までの長さＬ５が、支持部２ｅの長さ、すなわち接合部２ｆから支持部２ｅの先端までの長さＬ６よりも長くなるように設定されている。
【００６８】
さらに、本変形例では、支持部７ｂの先端部７ｃの幅が、支持部７ｂの他の部分の幅よりも狭くなるように形成されている。なお、先端部７ｃの幅は、眼内レンズ７が眼内で支持部７ｂ、２ｅによって位置決めされるときのレンズ本体２ａの眼内におけるバランスを考慮して適宜変更することができる。このように本変形例では、支持部７ｂが、その先端からレンズ本体２ａとの接合部２ｄに向かって所定の長さだけ幅が狭くなっている先端部７ｃを有する。
【００６９】
また、先端部７ｃにはくびれ７ｈ、７ｉ、７ｊが設けられている。くびれ７ｈによって先端部７ｃが支持部７ｂのレンズ本体２ａ側に偏って設けられ、先端部７ｃと水晶体嚢の
赤道部との当接を防止することができる。くびれ７ｉによって、眼内レンズ７が眼内に挿入されたときに先端部７ｃとレンズ本体２ａの距離をとることができる。これによってレンズ本体２ａと支持部７ｂの間に水晶体嚢の前嚢側と後嚢側が接触しない隙間ができることを防止することができる。くびれ７ｊによって先端部７ｃがレンズ本体２ａ側へより変形しやすくなる。
【００７０】
眼内レンズ７は、図１２（ｃ）に示すように、先端部７ｃが貫通孔１０ｃに当接した状態で眼内レンズ挿入器具１にセットされる。これにより、プランジャー３０によって眼内レンズ７がノズル本体１０の先端部１０ａ側に移動されると、先端部７ｃが貫通孔１０ｃに当接した状態でレンズ本体２ａが先端部１０ａに移動されるため、先端部７ｃがレンズ本体２ａ側を向くように支持部７ｂが折れ曲がる。したがって、上記の実施形態と同様、支持部７ｂの先端部７ｃが、レンズ本体２ａに内包されるタッキング状態となる。くびれ７ｊが設けられていることにより、先端部７ｃが貫通孔１０ｃに当接した状態であっても、幅を減少させていない支持部７ｂの接合部２ｄ側を変形させることなく眼内レンズ挿入器具１にセットすることができる。
【００７１】
したがって、本変形例の眼内レンズ７によっても、前方支持部である支持部７ｂは、先端部７ｃがノズル本体１０に当接することで、レンズ本体２ａ側に折れ曲がってタッキング状態になりやすくなる。
【００７２】
図１３（ａ）および図１３（ｂ）に、上記の実施形態の一変形例に係る眼内レンズ８の一例を示す。本変形例では、眼内レンズ８の支持部８ｂの基端部が、眼内レンズ８を眼内レンズ挿入器具１にセットしたときに、眼内レンズ２〜７の支持部の基端部（図中２点鎖線で示す）より、支持部８ｂの先端部と貫通孔１０ｃの内周面との距離が小さくなる方向に接合部８ｄに対してシフトさせた位置に設けられている。ここで、基端部とは、支持部のうち接合部と接続する側の端部をいう。
【００７３】
本変形例の眼内レンズ８がプランジャー３０による押圧移動によってノズル本体１０内を移動されるとき、支持部８ｂの先端部よりも先に基端部が貫通孔１０ｃの内周面に当接することが防止される。支持部８ｂの先端部が最初に貫通孔１０ｃに当接した上でレンズ本体２ａが先端部１０ａに移動されるため、支持部８ｂの先端部がレンズ本体２ａ側を向くように支持部８ｂが折れ曲がる。したがって、上記の実施形態と同様、支持部８ｂがレンズ本体２ａに内包されるタッキング状態となる。
【００７４】
したがって、本変形例の眼内レンズ８によっても、プランジャー３０によって眼内レンズ８がノズル本体１０の先端部１０ａ側に移動されるときに、前方支持部である支持部８ｂは、先端部がノズル本体１０に当接することで、レンズ本体２ａ側に折れ曲がってタッキング状態になりやすくなる。
【００７５】
図１４（ａ）および図１４（ｂ）に、上記の実施形態の一変形例に係る眼内レンズ９の一例を示す。眼内レンズ９は、支持部９ｂの基端部９ｍの幅が眼内レンズ２〜８の支持部の基端部（図中２点鎖線で示す）の幅よりも広くなっている。また、支持部９ｂの基端部９ｍの幅は、他の支持部の基端部（図１４の場合は支持部２ｅの基端部２ｍ）の幅よりも広くなっている。より具体的には、レンズ本体の光軸中心Ｏに垂直な平面上（すなわち図の紙面上）において、光軸中心Ｏから同じ距離だけ離れた位置における支持部９ｂの基端部９ｍの幅と支持部２ｅの基端部２ｍの幅とを比較した場合に、基端部９ｍの幅が基端部２ｍの幅よりも広くなっている。
【００７６】
本変形例の眼内レンズ９が、プランジャー３０による押圧移動によってノズル本体１０内を移動されるとき、支持部９ｂの先端部よりも先に基端部が貫通孔１０ｃの内周面に当
接しても、基端部の幅を広くしているため変形しにくい。そのため、基端部の意図しない変形により支持部９ｂの先端部が前方に伸びることが防止される。さらに、支持部９ｂの基端部と貫通孔１０ｃの内周面との隙間が小さいため、眼内レンズ９の時計方向の回転も抑制できる。レンズ本体２ａが先端部１０ａに移動されると支持部９ｂの先端部が貫通孔１０ｃの内周面に当接して、先端部がレンズ本体２ａ側を向くように支持部９ｂが折れ曲がる。したがって、上記の実施形態と同様、支持部９ｂがレンズ本体２ａに内包されるタッキング状態となる。
【００７７】
したがって、本変形例の眼内レンズ９によっても、プランジャー３０によって眼内レンズ９がノズル本体１０の先端部１０ａ側に移動されるときに、前方支持部である支持部９ｂは、先端部がノズル本体１０に当接することで、レンズ本体２ａ側に折れ曲がってタッキング状態になりやすくなる。
【００７８】
図１５（ａ）および図１５（ｂ）に、上記の実施形態の一変形例に係る眼内レンズ１００の一例を示す。眼内レンズ１００は、支持部１００ｂの基端部が支持部１００ｂの他の部分よりも硬質な材料で形成されている。
【００７９】
本変形例の眼内レンズ１００が、プランジャー３０による押圧移動によってノズル本体１０内を移動されるとき、支持部１００ｂの先端部よりも先に基端部が貫通孔１０ｃの内周面に当接しても、基端部は他の部分より硬質で変形しにくい。そのため、基端部の意図しない変形により支持部１００ｂの先端部が前方に伸びることを防止できる。レンズ本体２ａが先端部１０ａに移動されると、支持部１００ｂの先端部が貫通孔１０ｃの内周面に当接して、先端部がレンズ本体２ａ側を向くように支持部１００ｂが折れ曲がる。したがって、上記の実施形態と同様、支持部１００ｂがレンズ本体２ａに内包されるタッキング状態となる。
【００８０】
したがって、本変形例の眼内レンズ１００によっても、プランジャー３０によって眼内レンズ１００がノズル本体１０の先端部１０ａ側に移動されるときに、前方支持部である支持部１００ｂは、先端部がノズル本体１０に当接することで、レンズ本体２ａ側に折れ曲がってタッキング状態になりやすくなる。
【００８１】
また、眼内レンズ１００において、支持部１００ｂの基端部が、眼内レンズ８を眼内レンズ挿入器具１にセットしたときに、レンズ本体の光軸中心Ｏよりも眼内レンズの押し出し方向前側に配置される支持部１００ｂの基端部が、眼内レンズ２〜７の支持部の基端部と眼内レンズ挿入器具の内周面との距離よりも、支持部１００ｂの基端部と眼内レンズ挿入器具の内周面との距離の方が短くなるように、接合部２ｄに対してシフトされている構成とすることもできる。このため、眼内レンズ１００がノズル本体１０の先端部１０ａ側に移動されるときに支持部１００ｂの基端部と貫通孔１０ｃの内周面との隙間が小さいので、支持部１００ｂの先端部が貫通孔１０ｃの内周面から離れる方向へ回転することを防止することができる。したがって、プランジャー３０によって眼内レンズ１００がノズル本体１０の先端部１０ａ側に移動されるときに、前方支持部である支持部１００ｂは、先端部がノズル本体１０に当接することで、レンズ本体２ａ側に折れ曲がってタッキング状態になりやすくなる。
【００８２】
前方支持部の基端部の変形を防止する構造は、レンズ本体の光軸中心Ｏよりも眼内レンズの押し出し方向前側に配置される支持部の基端部を支持部の他の部分より厚くする構造でもよい。この場合にも、支持部の基端部と眼内レンズ挿入器具の内周面との距離の方が短くなるように、接合部２ｄに対してシフトされている構成とすることで回転を防止することもできる。
【００８３】
図１６（ａ）および図１６（ｂ）に、上記の実施形態の一変形例に係る眼内レンズ１１０の一例を示す。眼内レンズ１１０は、眼内レンズ挿入器具１にセットされたときの前方支持部に相当する支持部１１０ｂが、上記の実施形態の支持部２ｂと同様、支持部２ｅよりも長くなるように形成されている。すなわち、接合部２ｄから支持部１１０ｂの先端までの長さＬ９が、支持部２ｅの長さ、すなわち接合部２ｆから支持部２ｅの先端までの長さＬ１０よりも長くなるように設定されている。
【００８４】
さらに、本変形例では、支持部１１０ｂの幅方向で水晶体嚢側とレンズ本体２ａ側にくびれ１１０ｈ、１１０ｊがそれぞれ設けられている。なお、くびれ１１０ｈ、１１０ｊの大きさは、眼内レンズ１１０が眼内で支持部１１０ｂ、２ｅによって位置決めされるときのレンズ本体２ａの眼内におけるバランスを考慮して適宜変更することができる。このように本変形例では、支持部１１０ｂが、その先端から所定の位置に支持部の幅を減少させるくびれ１１０ｈ、１１０ｊを有する。
【００８５】
眼内レンズ挿入器具１にセットされた眼内レンズ１１０が、プランジャー３０による押圧移動によってノズル本体１０内を移動されるとき、眼内レンズ１１０の支持部１１０ｂが支持部２ｅよりも長く形成されているため、上記の眼内レンズ２の場合と同様、支持部１１０ｂの長さを支持部２ｅの長さと同じにした場合に比べて、支持部１１０ｂの先端部１１０ｃは貫通孔１０ｃの内周面に当接しやすい。先端部１１０ｃが貫通孔１０ｃに当接した後、プランジャー３０によって眼内レンズ１１０がノズル本体１０の先端部１０ａ側に移動されると、先端部１１０ｃが貫通孔１０ｃに当接した状態でレンズ本体２ａが先端部１０ａに移動されるため、先端部１１０ｃがレンズ本体２ａ側を向くように支持部１１０ｂが折れ曲がる。したがって、上記の実施形態と同様、支持部１１０ｂの先端部１１０ｃが、レンズ本体２ａに内包されるタッキング状態となる。
【００８６】
したがって、本変形例の眼内レンズ１１０によっても、プランジャー３０によって眼内レンズ１１０がノズル本体１０の先端部１０ａ側に移動されるときに、前方支持部である支持部１１０ｂは、先端部１１０ｃがノズル本体１０に当接することで、レンズ本体２ａ側に折れ曲がってタッキング状態になりやすくなる。
【００８７】
また、本変形例の眼内レンズ１１０の支持部１１０ｂには、幅方向で水晶体嚢側とレンズ本体２ａ側にくびれ１１０ｈ、１１０ｊがそれぞれ設けられているため、眼内レンズ１１０が水晶体嚢の赤道部７０に対して適正に位置決めされた際に、たとえ先端部１１０ｃが水晶体嚢の組織に干渉してしまったとしても、くびれ１１０ｈ、１１０ｊを設けた部分では支持部１１０ｂの幅が狭くなることで先端部１１０ｃがレンズ本体２ａ側に変形しやすく、水晶体嚢の組織への影響を抑えることができる。本変形例ではくびれを支持部の幅方向両側に設ける構成としたが、片側だけに設けたとしても同様の効果を得ることができる。さらに、眼内レンズ３のように支持部の先端に突出部を設けた構成などにもくびれを設けることで、眼内レンズ１１０と同様に前方支持部の構造を変更したことによる水晶体嚢の組織への影響を抑えることができる。
【符号の説明】
【００８８】
１    眼内レンズ挿入器具
２、３、４、５、６、７、８、９、１００、１１０    眼内レンズ
２ａ    レンズ本体
２ｂ、２ｅ、３ｂ、４ｂ、５ｂ、６ｂ、７ｂ、８ｂ、９ｂ、１００ｂ、１１０ｂ    支持部
２ｃ、４ｃ、５ｃ、１１０ｃ    先端部
３ｃ、６ｃ    突出部
２ｍ、９ｍ    基端部
１０    ノズル本体
１０ｃ    貫通孔
【図１】
2018198747.tif 000003
【図２】
2018198747.tif 000004
【図３】
2018198747.tif 000005
【図４】
2018198747.tif 000006
【図５】
2018198747.tif 000007
【図６】
2018198747.tif 000008
【図７】
2018198747.tif 000009
【図８】
2018198747.tif 000010
【図９】
2018198747.tif 000011
【図１０】
2018198747.tif 000012
【図１１】
2018198747.tif 000013
【図１２】
2018198747.tif 000014
【図１３】
2018198747.tif 000015
【図１４】
2018198747.tif 000016
【図１５】
2018198747.tif 000017
【図１６】
2018198747.tif 000018